(57)【要約】【課題】印刷物の排出先の排紙トレイを選択できる利便性を維持しつつ、煩雑な設定の登録を不要とする印刷装置および印刷物排出方法を提供する。【解決手段】複数の排紙トレイ４ａで構成されるソータ４を有する印刷装置１において、端末装置から送信された印刷指示通知を受信する通信部２と、印刷指示通知に含まれる排紙トレイ選択情報に基づいてソータ４の中から排紙トレイ４ａを選択して、印刷された紙媒体を排出する制御部６とを備えた。このような印刷装置１とすることで、印刷指示通知を送信する側で排紙トレイ４ａを選択することができる。従って、印刷装置１側で煩雑な登録作業をせずに、印刷指示通知を送信する端末装置ごとに排紙トレイ４ａを割り当てることができる。【選択図】図２
2006092405.tif 000002
【特許請求の範囲】
【請求項１】
複数の排紙トレイで構成されるソータを有する印刷装置において、
端末装置から送信された印刷指示通知を受信する通信部と、
前記印刷指示通知に含まれる排紙トレイ選択情報に基づいて前記ソータの中から排紙トレイを選択して、印刷された紙媒体を排出する制御部とを備えたことを特徴とする印刷装置。
【請求項２】
前記制御部は、前記印刷指示通知に前記排紙トレイ選択情報が含まれていないときに、前記ソータの中から初期状態で使用される排紙トレイを選択して、印刷された紙媒体を排出することを特徴とする請求項１記載の印刷装置。
【請求項３】
複数の排紙トレイで構成されるソータを有する印刷装置の印刷物排出方法において、
端末装置から送信された印刷指示通知を通信部により受信するステップと、
前記通信部により、受信された前記印刷指示通知に基づいて紙媒体に印刷するステップと、制御部により前記印刷指示通知に含まれる排紙トレイ選択情報に基づいて前記ソータの中から排紙トレイを選択して、印刷された紙媒体を排出するステップとを含むことを特徴とする印刷装置の印刷物排出方法。
【請求項４】
前記制御部が、前記印刷指示通知に前記排紙トレイ選択情報が含まれていないときに、前記ソータの中から初期状態で使用される排紙トレイを選択して、印刷された紙媒体を排出するステップとを含むことを特徴とする請求項３記載の印刷装置の印刷物排出方法。
【発明の詳細な説明】
【技術分野】
【０００１】
本発明は、排出された印刷物が載置される複数の排紙トレイで構成されるソータを有する印刷装置および印刷物排出方法に関する。
【背景技術】
【０００２】
複数の排紙トレイで構成されるソータを備えた印刷装置がある。このソータは、例えば印刷部数を複数指定した場合に、それぞれの排紙トレイに１部ずつ印刷物が排出されることで、印刷した後の編集の手間を削減することができるものである。
【０００３】
また、印刷を指示する端末装置と排紙トレイとを対応させて印刷装置に登録しておき、端末装置からの印刷指示があると、その端末装置に対応した排紙トレイに印刷物が排出される従来の印刷装置がある。この従来の印刷装置は、端末装置から印刷指示された印刷物を、予め端末装置ごとに割り当てた排紙トレイに排出することで、印刷物が混在することがないので、印刷した後に印刷物の回収が容易となるものである。このような印刷装置が特許文献１に記載されている。
【０００４】
この特許文献１に記載の印刷装置は、ＦＡＸ番号またはＥ−ｍａｉｌアドレスと、排紙トレイとを対応させた情報を有し、この情報に基づいて排紙トレイを選択するものである。
【特許文献１】特開平１０−２４０５５０号公報
【発明の開示】
【発明が解決しようとする課題】
【０００５】
従来の印刷装置は、端末装置ごとに排紙トレイを割り当てることができるので、利便性を高いものとすることができるが、端末装置と排紙トレイとを対応付けた設定を予め印刷装置側に登録する必要がある。
【０００６】
一般的に印刷装置は、パーソナルコンピュータのように、大きな表示画面や、入力手段としてキーボードなどを備えたものではなく、表示画面として小さい液晶パネルと、入力手段として、数字キーと、わずかな機能キーや、タッチパネルなどを備えているだけである。従って、設定の登録は、非常に煩雑な作業である。また、端末装置の移動があったり増えたりすると、設定をやり直すことが頻繁に発生するため、より煩雑な作業となる。
【０００７】
そこで本発明においては、印刷物の排出先の排紙トレイを選択できる利便性を維持しつつ、煩雑な設定の登録を不要とする印刷装置および印刷物排出方法を提供することを目的とする。
【課題を解決するための手段】
【０００８】
本発明の印刷装置は、複数の排紙トレイで構成されるソータを有する印刷装置において、端末装置から送信された印刷指示通知を受信する通信部と、前記印刷指示通知に含まれる排紙トレイ選択情報に基づいて前記ソータの中から排紙トレイを選択して、印刷された紙媒体を排出する制御部とを備えたことを特徴とする。
【０００９】
本発明の印刷装置の印刷物排出方法は、複数の排紙トレイで構成されるソータを有する印刷装置の紙媒体の排出方法において、端末装置から送信された印刷指示通知を通信部により受信するステップと、前記通信部により受信された前記印刷指示通知に基づいて紙媒体に印刷するステップと、前記印刷指示通知に含まれる排紙トレイ選択情報に基づいて前
記ソータの中から排紙トレイを選択して、印刷された紙媒体を排出するステップとを含むことを特徴とする。
【発明の効果】
【００１０】
本発明によれば、制御部が、印刷指示通知に含まれる排紙トレイ選択情報に基づいて、ソータの中から排紙トレイを選択して印刷された紙媒体を排出するので、印刷指示通知を送信する側で排紙トレイを選択することができる。よって、印刷装置側で煩雑な登録作業をせずに、印刷指示通知を送信する端末装置ごとに排紙トレイを割り当てることができるので、利便性の高い印刷装置とすることができる。
【発明を実施するための最良の形態】
【００１１】
本願の第１の発明は、複数の排紙トレイで構成されるソータを有する印刷装置において、端末装置から送信された印刷指示通知を受信する通信部と、印刷指示通知に含まれる排紙トレイ選択情報に基づいてソータの中から排紙トレイを選択して、印刷された紙媒体を排出する制御部とを備えたことを特徴としたものである。
【００１２】
制御部が、通信部により受信した印刷指示通知に含まれる排紙トレイ選択情報に基づいて、ソータの中から排紙トレイを選択して、印刷された紙媒体を排出するので、印刷指示通知を送信する側で排紙トレイを選択することができる。従って、印刷装置側で煩雑な登録作業をせずに、印刷指示通知を送信する端末装置ごとに排紙トレイを割り当てることができる。
【００１３】
本願の第２の発明は、制御部は、印刷指示通知に排紙トレイ選択情報が含まれていないときに、ソータの中から初期状態で使用される排紙トレイを選択して、印刷された紙媒体を排出することを特徴としたものである。
【００１４】
制御部が、印刷指示通知に排紙トレイ選択情報が含まれていないときに、ソータの中から初期状態で使用される排紙トレイを選択して、印刷された紙媒体を排出するので、印刷指示通知は、従来の印刷装置との互換を保ちつつ機能拡張されたものとすることができる。
【００１５】
本願の第３の発明は、複数の排紙トレイで構成されるソータを有する印刷装置の印刷物排出方法において、端末装置から送信された印刷指示通知を通信部により受信するステップと、通信部により受信された印刷指示通知に基づいて紙媒体に印刷するステップと、制御部により、印刷指示通知に含まれる排紙トレイ選択情報に基づいてソータの中から排紙トレイを選択して、印刷された紙媒体を排出するステップとを含むことを特徴としたものである。
【００１６】
制御部が、通信部により受信した印刷指示通知に含まれる排紙トレイ選択情報に基づいて、ソータの中から排紙トレイを選択して、印刷部により印刷された紙媒体を排出するので、印刷指示通知を送信する側で排紙トレイを選択することができる。従って、印刷装置側で煩雑な登録作業をせずに、印刷指示通知を送信する端末装置ごとに排紙トレイを割り当てることができる。
【００１７】
本願の第４の発明は、制御部が、印刷指示通知に排紙トレイ選択情報が含まれていないときに、ソータの中から初期状態で使用される排紙トレイを選択して、印刷された紙媒体を排出するステップとを含むことを特徴としたものである。
【００１８】
制御部が、印刷指示通知に排紙トレイ選択情報が含まれていないときに、ソータの中から初期状態で使用される排紙トレイを選択して、印刷された紙媒体を排出するので、印刷
指示通知は、従来の印刷装置との互換を保ちつつ機能拡張されたものとすることができる。
【００１９】
（実施の形態）
本発明の実施の形態に係る印刷装置を図１から図４に基づいて説明する。図１は、本発明の実施の形態に係る印刷装置を用いた印刷システムを説明する図であり、（Ａ）は複数の端末装置と印刷装置とがネットワークを介して接続している図、（Ｂ）は１台の端末装置と印刷装置とが１対１で接続されている図である。図２は、本発明の実施の形態に係る印刷装置を説明する図である。図３は、本発明の実施の形態に係る印刷装置に用いられる印刷指示通知の一例のフォーマットを示す図である。図４は、印刷指示通知を送信する端末装置の画面の一例を示す図である。
【００２０】
図１（Ａ）に示すように、印刷システム１０は、端末装置１２，１３と印刷装置１とを備え、それぞれネットワーク１１に接続されている。図１においては、２台の端末装置１２，１３のみを図示しているが、１台でも３台以上でも接続可能であれば何台でもよい。ネットワーク１１は、例えば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）で通信されるＬＡＮ（Ｌｏｃａｌ  Ａｒｅａ  Ｎｅｔｗｏｒｋ）などが使用できる。
【００２１】
また同図（Ｂ）に示すように、印刷システム１５は、印刷装置１と端末装置１６とが１対１で接続されている。この場合、端末装置１６と印刷装置１とは、例えばＵＳＢ（Ｕｎｉｖｅｒｓａｌ  Ｓｅｒｉａｌ  Ｂｕｓ）やＲＳ−２３２Ｃなどの双方向シリアルインタフェースや、双方向パラレルインタフェースなどで接続されている。
【００２２】
図２に示すように印刷装置１は、図１（Ａ）に示すネットワーク１１を介して端末装置１２，１３と接続した場合で説明する。
【００２３】
印刷装置１は、ネットワーク１１を介して端末装置１２，１３と通信する通信部２と、紙媒体を印刷する印刷部３と、排紙トレイ４ａを複数有するソータ４と、ソータ４を制御するソータ制御部５と、印刷装置１全体を制御する制御部６とを備えている。
【００２４】
通信部２は、ネットワーク１１を介して端末装置１２，１３と通信し、端末装置１２，１３から送信される印刷指示通知を受信する機能を有している。また通信部２は、印刷が完了すると印刷完了通知を印刷指示通知の送信元の端末装置へ送信する機能を有している。
【００２５】
印刷部３は、印刷指示通知の印刷データに基づいて紙媒体に印刷する機能を有している。
【００２６】
ソータ４は、排紙トレイ４ａを少なくとも２つ以上備えており、印刷部３にて印刷された印刷物をソータ制御部５の指示に基づいて、排紙トレイ４ａを選択して排紙する。ソータ制御部５が指示する排紙トレイ４ａの選択は、排紙トレイ４ａのそれぞれに割り当てられた排紙トレイ番号を指定することで行われる。
【００２７】
制御部６は、通信部２により受信した印刷指示通知を解析して、印刷データを印刷可能なフォーマットへ変換して印刷部３へ通知したり、印刷指示通知に含まれる排紙トレイ選択情報に基づいて排紙トレイ番号をソータ制御部５へ通知したりする機能を有している。
【００２８】
制御部６は、プログラムや固定的な設定が格納されているＲＯＭ（Ｒｅａｄ  Ｏｎｌｙ
Ｍｅｍｏｒｙ）６ａと、プログラムが実行する際のワークエリアや、受信した印刷デー
タを変換する際のエリアとなるＲＡＭ（Ｒａｎｄｏｍ  Ａｃｃｅｓｓ  Ｍｅｍｏｒｙ）６ｂ、プログラムを実行するＣＰＵ（Ｃｅｎｔｒａｌ  Ｐｒｏｃｅｓｓｉｎｇ  Ｕｎｉｔ）６ｃとから構成される。
【００２９】
ここで、端末装置１２，１３，１６が送信する印刷指示通知のフォーマットについて図３に基づいて詳細に説明する。
【００３０】
まず、受信された受信データがエスケープシーケンスをＥＳＣ（１６進数で１Ｂ）コードが格納される。そしてＧＤＩと続くことで印刷指示通知であることを示す。
【００３１】
次に、用紙の指定情報、用紙サイズ情報、印刷部数情報、排紙トレイ番号であるＢＩＮ指定情報と続く。そして最後に印刷データとしてラスタデータが格納されている。このように、印刷指示通知に、排紙トレイ番号であるＢＩＮ指定情報を含ませることで、送信側となる端末装置１２，１３，１６から排紙トレイを選択することができる。
【００３２】
次に、端末装置１２，１３，１６から排紙トレイを選択する際の表示画面例を図４に基づいて説明する。
【００３３】
図４に示すように、端末装置１２，１３，１６の表示画面には、印刷ウィンドウがＧＵＩで（Ｇｒａｐｈｉｃａｌ  Ｕｓｅｒ  Ｉｎｔｅｒｆａｃｅ）表示されている。この印刷ウィンドウには、「Ｏｕｔｐｕｔ  Ｔｒａｙ」のプルダウンメニュー（ドロップダウンメニュー）により排紙トレイ４ａを選択する。図４の例では排紙トレイ１が選択されている。この選択をした後に、「ＯＫ」ボタンをマウスなどのポインティングデバイスで押下することで、端末装置１２，１３，１６から印刷装置１に対して図３に示すＢＩＮ指定情報に排紙トレイ１を選択した印刷指示通知が送信される。なお、図４の印刷ウィンドウにて、このＢＩＮ指定情報を選択しない場合は、初期状態で印刷される排紙トレイが選択されることとなる。通常は、ソータ４の最上段にある排紙トレイ４ａが初期状態で使用される。
【００３４】
制御部６が、印刷指示通知に排紙トレイ選択情報が含まれていないときに、ソータの中から初期状態で使用される排紙トレイ４ａを選択して、印刷された紙媒体を排出するので、印刷指示通知は、従来の印刷装置との互換を保ちつつ機能拡張されたものとすることができる。
【００３５】
以上のように本発明の実施の形態に係る印刷装置によれば、端末装置側で排紙トレイの選択ができるので、予め印刷装置側へ設定を登録する作業が不要となる。また、排紙トレイの選択として、例えば複数の会議に使用する資料をそれぞれ異なる排紙トレイに排出させるようにすることで、印刷後の資料のまとめ作業が容易である。つまり、１台の端末装置から印刷を行うに際し、複数の排紙トレイを使い分けることができるので、利便性の高い印刷装置とすることができる。
【産業上の利用可能性】
【００３６】
本発明は、印刷物の排出先の排紙トレイを選択することで利便性を維持しつつ、煩雑な設定の登録を不要とすることができるので、排出された印刷物が載置される複数の排紙トレイで構成されるソータを有する印刷装置に好適である。
【図面の簡単な説明】
【００３７】
【図１】本発明の実施の形態に係る印刷装置を用いた印刷システムを説明する図
【図２】本発明の実施の形態に係る印刷装置を説明する図
【図３】本発明の実施の形態に係る印刷装置に用いられる印刷指示通知の一例のフォーマットを示す図
【図４】印刷指示通知を送信する端末装置の画面の一例を示す図
【符号の説明】
【００３８】
１    印刷装置
２    通信部
３    印刷部
４    ソータ
４ａ    排紙トレイ
５    ソータ制御部
６    制御部
６ａ    ＲＯＭ
６ｂ    ＲＡＭ
１０，１５    印刷システム
１２，１３，１６    端末装置
【図１】
2006092405.tif 000003
【図２】
2006092405.tif 000004
【図３】
2006092405.tif 000005
【図４】
2006092405.tif 000006